【事件の表示】
　特願２００７−１３８６９８「印字装置」拒絶査定不服審判事件〔平成１９年　８月２３日出願公開、特開２００７−２１０３４６〕について、次のとおり審決する。
【結　論】
　本件審判の請求は、成り立たない。
【理　由】
    　
１．手続の経緯・本願発明
　
　本願は、平成１０年３月３０日に出願した特願平１０−１０３９２８号の一部を平成１９年５月２５日に新たな特許出願としたものであって、平成１９年９月１２日付け拒絶理由通知に対して、同年１１月１９日付けで特許請求の範囲に係る手続補正がなされたが、平成２０年５月２０日付けで、拒絶査定がなされ、これに対し、同年６月２５日に拒絶査定不服審判が請求されたものであって、本願に係る発明は、「印字装置」に関するものである。
　
　
２．原審の拒絶理由の内容
　
（１）　原審の記載不備に関する拒絶の理由（理由［１］）は次のとおりである。
　
『　
【理由１】
　この出願は、発明の詳細な説明の記載が下記の点で、特許法第３６条第４項に規定する要件を満たしていない。
　
　　　　　　　　　　　　　　　　　記
　インクカートリッジを引き抜く際に、突起１５１はラッチ部材１５３に邪魔をされてインクカートリッジ自体引き抜けないのではないか？また、突起１５１が脱出用溝１５６に浸入するとあるが係合部１５２におけるラッチ部材１５３と脱出用溝１５６の構造が如何なるものなのか明らかではない。
　よって、この出願の発明の詳細な説明は、当業者が請求項１〜４に係る発明を実施することができる程度に明確かつ十分に記載されていない。
　　　　　　　　　　　　　　　　　　　　　　　　　　　　　　　　』
　
（２）　原審の拒絶査定での指摘事項（備考）は次のとおりである。
　
『
備考
　平成１９年１１月１９日付け手続補正書により、請求項１は、
「印字記録を行う印字ヘッドと、その印字ヘッドに供給されるインクを保存するインク保存部材と、そのインク保存部材を収納し、印字装置本体に着脱可能な中空箱状体のインクカートリッジと、前記インク保存部材を貫通可能な中空の針状部材と、その針状部材を介して前記インク保存部材の内部から前記印字ヘッドにインクを供給するインク供給部材とを備えた印字装置において、
　前記インクカートリッジは、突起を備え、
　印字装置本体は、軸に揺動可能に支持され弾性部材により上方に付勢された揺動部材と、その揺動部材に設けられ前記突起と係合可能なラッチ部を備え、
　前記インクカートリッジが印字装置本体に挿入されると、前記揺動部材が下方に揺動し、前記突起と前記ラッチ部が係合し、
　前記係合した状態から、さらに、前記インクカートリッジが印字装置本体に挿入されると、前記突起と前記ラッチ部との係合が解除され、前記揺動部材は、前記インクカートリッジが印字装置本体から抜かれる場合に前記突起が前記ラッチ部と係合しない位置まで、前記弾性部材に付勢されて上方に揺動することを特徴とする印字装置。」
と補正され、同日付け意見書において、出願人は、‘（請求項１の）補正は、主に、段落［００２７］〜［００３１］の記載及び図１、６、７に基づくものである。’旨、主張するが、段落【００２７】〜【００３１】の記載及び図１，６，７を含めた明細書の全体を参酌しても、インクカートリッジの装脱の動きについての意見書における出願人の主張が読み取れるものではないから、前記意見書の主張は本願明細書又は図面に記載された事項に基づかない主張であり、採用するに足るものではない。
　　　　　　　　　　　　　　　　　　　　　　　　　　　　』
　
　
３．請求人の主張
　原審の審査官の指摘に対して、請求人は、請求の理由において、以下のとおり主張している。（下線は、当審にて付与した。）
　
『
　【本願発明が特許されるべき理由】
１．本願発明の説明
　本願発明の要旨は、平成１９年１１月１９日付け提出の手続補正書により補正した特許請求の範囲に記載の、以下のとおりのものである。なお、特許請求の範囲と明細書の実施例との対応関係を明確にするために、特許請求の範囲に、明細書の実施例の符号を記入した。また、後述の説明の便宜のために、特許請求の範囲を構成要件[Ａ]〜[Ｆ]に分けた。
（１）[Ａ]印字記録を行う印字ヘッド（１２１）と、その印字ヘッド（１２１）に供給されるインクを保存するインク保存部材（１３０）と、そのインク保存部材（１３０）を収納し、印字装置本体（１０３）に着脱可能な中空箱状体のインクカートリッジ（１４０）と、前記インク保存部材（１３０）を貫通可能な中空の針状部材（１２２）と、その針状部材（１２２）を介して前記インク保存部材（１３０）の内部から前記印字ヘッド（１２１）にインクを供給するインク供給部材（１２３）とを備えた印字装置において、
　[Ｂ]前記インクカートリッジ（１４０）は、突起（１５１）を備え、
　[Ｃ]印字装置本体（１０３）は、軸（１５４）に揺動可能に支持され弾性部材（１５５）により上方に付勢された揺動部材（１５２）と、その揺動部材（１５２）に設けられ前記突起（１５１）と係合可能なラッチ部（１５３）を備え、
　[Ｄ]前記インクカートリッジ（１４０）が印字装置本体（１０３）に挿入されると、前記揺動部材（１５２）が下方に揺動し、前記突起（１５１）と前記ラッチ部（１５３）が係合し、
　
[Ｅ]前記係合した状態から、さらに、前記インクカートリッジ（１４０）が印字装置本体（１０３）に挿入されると、前記突起（１５１）と前記ラッチ部（１５３）との係合が解除され、前記揺動部材（１５２）は、前記インクカートリッジ（１４０）が印字装置本体（１０３）から抜かれる場合に前記突起（１５１）が前記ラッチ部（１５３）と係合しない位置まで、前記弾性部材（１５５）に付勢されて上方に揺動することを特徴とする印字装置
（２）[Ｆ]前記突起（１５１）と前記ラッチ部（１５３）の係合は、前記針状部材（１２２）の先端が前記インク保存部材（１３０）に到達している状態で行われることを特徴とする請求項１に記載の印字装置。
２．本願発明の明細書中の記載についての説明
　本願発明は、明細書中に全て記載されている。以下、前記構成要件毎に詳述する。
（１）構成要件Ａについて
　　段落[００２１][００２６]に記載されている。
（２）構成要件Ｂについて
　　段落[００２７]に「インクカートリッジ１４０の右側底面には、薄板状で略Ｌ字型の突起１５１が取り付けられている」と記載されている。
（３）構成要件Ｃについて
　　段落[００２７]に「インクカートリッジ装着部１５０の右側、すなわち、針状部材１２２の下部には、係合部１５２が設けられている。この係合部１５２は、鋸刃状のラッチ部材１５３を４個所有し、軸１５４に揺動可能に支持され、板ばね１５５により、上方に付勢されている」と記載され、段落[００２８]に「突起１５１は、１つめのラッチ部材１５３（ａ）の斜面側から進入し、垂直面に到達して、係合する」と記載されている。
（４）構成要件Ｄについて
　　段落[００２８]に「突起１５１が係合部１５２に達すると、係合部１５２は、軸１５４を支点にして押し下げられ、インクカートリッジ１４０は、スムーズに進入する（図３）。さらにインクカートリッジ１４０を挿入すると、通穴１４２に針状部材１２２が挿入され、続いて、針状部材１２２の先端が、インクパッケージ１３０に到達すると、突起１５１は、１つめのラッチ部材１５３（ａ）の斜面側から進入し、垂直面に到達して、係合する」と記載されている。
（５）構成要件Ｅについて
　　構成要件Ｅは「前記係合した状態から、さらに、前記インクカートリッジ（１４０）が印字装置本体（１０３）に挿入され」た場合の、２つの動きを前段と後段で分けて規定している。
　　前段は、「前記突起（１５１）と前記ラッチ部（１５３）との係合が解除され」るという動きである。
　　後段は、「前記揺動部材（１５２）は」「前記弾性部材（１５５）に付勢されて上方に揺動する」という動きである。さらに、揺動部材（１５２）がどこの位置まで揺動するかを規定しており、その位置は「前記インクカートリッジ（１４０）が印字装置本体（１０３）から抜かれる場合に前記突起（１５１）が前記ラッチ部（１５３）と係合しない位置まで」である。
　　以下、前段と後段に分けて述べる。
（５−１）構成要件Ｅの前段について
　　段落[００２８]から段落[００２９]にかけて「そのままインクカートリッジ１４０をスライドさせると、・・・突起１５１は、残りのラッチ部材１５３と次々に係合する（図５）。最終的には、・・・ロック機構が作用し、インクカートリッジ１４０のプリンタカートリッジ１０３への装着が完了する。この時点では、突起１５１は、ラッチ部材１５３を通り過ぎ、ラッチ部材１５３との係合が解除されている」と記載されている。
（５−２）構成要件Ｅの後段について
　　段落[００２８]から段落[００２９]にかけて「そのままインクカートリッジ１４０をスライドさせると、・・・突起１５１は、残りのラッチ部材１５３と次々に係合する（図５）。最終的には、・・・ロック機構が作用し、インクカートリッジ１４０のプリンタカートリッジ１０３への装着が完了する。この時点では、突起１５１は、ラッチ部材１５３を通り過ぎ、ラッチ部材１５３との係合が解除されているが、ロック機構により、インクカートリッジ１４０の引き抜きは防止される。」と記載されている。
　　また、段落[００３１]に「装着されたインクカートリッジ１４０を引き抜く場合には、・・・前述のロック機構を解除した後に、インクカートリッジ１４０を図中左側に引く。この時係合部１５２は、板ばね１５５によりインクカートリッジ１４０側に付勢されているため、係合部１５２のラッチ部材１５３はインクカートリッジ１４０側に押し付けられるようになって、突起１５１は係合部１５２のラッチ部材１５３側には進入できず」と記載されている。
　　
この２つの記載から、インクカートリッジ１４０のプリンタカートリッジ１０３への装着が完了しているとき（ロック機構が作用しているとき）は、係合部１５２は、板ばね１５５によりインクカートリッジ１４０側に付勢されているため、係合部１５２のラッチ部材１５３はインクカートリッジ１４０側に押し付けられるようになっているということが分かる。また、そのときの係合部１５２の位置は、「突起１５１は係合部１５２のラッチ部材１５３側には進入できず」という記載からすると、インクカートリッジ１４０を引き抜く場合に突起１５１が係合部１５２のラッチ部材１５３側には進入できない位置にある、ということも分かる
（６）構成要件Ｆについて
　　段落[００２８]に「針状部材１２２の先端が、インクパッケージ１３０に到達すると、突起１５１は、１つめのラッチ部材１５３（ａ）の斜面側から進入し、垂直面に到達して、係合する」と記載されている。
３．インクカートリッジの装脱の動きの説明
　本願の明細書中には、インクカートリッジの装脱の動きが明確かつ十分に記載されている。以下、詳述する。
（１）構造の説明
　突起１５１は、段落[００２７]に記載があるように「薄板状で略Ｌ字型」であり「インクカートリッジ１４０の右側底面」に取り付けられている。
　係合部１５２は、特に図１に表されているように、幅が狭くて長い板状のものである。
そして、図１〜７に表されているように、軸１５４の付近で若干曲がっている。
　ラッチ部材１５３は、図１〜７、段落[００２７]等に記載があるように、係合部１５２の上面に設けられている。
　脱出用溝１５６は、図２〜７、段落[００３１]に記載があるように、前記板状の係合部１５２に設けられており、特に図２〜７に表されているように、係合部の一側面（紙面前面側）の長手方向に沿って、一端から他端まで設けられている。
（２）
インクカートリッジ装着時の動きの説明
　
突起１５１は、前述の様に、薄板状で略Ｌ字型であり、縦板と横板で構成されるＬ字の前記横板が、係合部１５２の上面と接触しつつ、係合部１５２を押下げながら進入していき、前記横板とラッチ部材１５３が次々に係合する
　
そして、ロック用突起１５７にロック用凹部１５８が係合してロック機構が作用するときには、前記横板は係合部１５２の端部を通り越している。尚、この通り越した状態を表す図面はないが、図５に表されているロック用突起１５７とロック用凹部１５８と突起１５１と係合部１５２の位置関係から、ロック機構が作用するときには、前記横板は係合部１５２の端部を通り越すことが分かる
　
前記横板が通り越すと、係合部１５２は付勢力により図６、７の状態になる
　これらの動きは、主に、段落[００２８]〜[００３１]の記載と、図１〜７から理解することができる。
（３）インクカートリッジ引き抜き時の動きの説明
　インクカートリッジを引き抜き始めると、前記横板は係合部１５２の一端側から脱出用溝１５６に進入していく。尚、図６、７では、突起１５１の内、前記横板の断面が表れている。
　前記横板が脱出用溝１５６内をスライドしていき、軸１５４付近の脱出用溝１５６の曲がっている部分にさしかかると、係合部１５２の他端側が軸１５４を支点にして上に上がる。
　そして、最後は、係合部１５２の他端側から前記横板が抜ける。
　これらの動きは、主に、段落[００２８]〜[００３１]の記載と、図１〜７から理解することができる。　
　　　　　　　　　　　　　　　　　　　　　』
　
　
４．本願の特許請求の範囲、明細書及び図面の記載
　
（１）　特許請求の範囲の記載
　上記平成１９年１１月１９日付けの手続補正により補正された特許請求の範囲は、次のとおりである。
　
『　【請求項１】
　印字記録を行う印字ヘッドと、その印字ヘッドに供給されるインクを保存するインク保存部材と、そのインク保存部材を収納し、印字装置本体に着脱可能な中空箱状体のインクカートリッジと、前記インク保存部材を貫通可能な中空の針状部材と、その針状部材を介して前記インク保存部材の内部から前記印字ヘッドにインクを供給するインク供給部材とを備えた印字装置において、
　前記インクカートリッジは、突起を備え、
　印字装置本体は、軸に揺動可能に支持され弾性部材により上方に付勢された揺動部材と、その揺動部材に設けられ前記突起と係合可能なラッチ部を備え、
　前記インクカートリッジが印字装置本体に挿入されると、前記揺動部材が下方に揺動し、前記突起と前記ラッチ部が係合し、
　前記係合した状態から、さらに、前記インクカートリッジが印字装置本体に挿入されると、前記突起と前記ラッチ部との係合が解除され、前記揺動部材は、前記インクカートリッジが印字装置本体から抜かれる場合に前記突起が前記ラッチ部と係合しない位置まで、前記弾性部材に付勢されて上方に揺動することを特徴とする印字装置。
　　【請求項２】
　前記突起と前記ラッチ部の係合は、前記針状部材の先端が前記インク保存部材に到達している状態で行われることを特徴とする請求項１に記載の印字装置。』
　
　
（２）　発明の詳細な説明の記載
　本願明細書の発明の詳細な説明には、以下の記載がある。（下線は、当審にて付与した。）
『
　【００２７】
　
インクカートリッジ１４０の右側底面には、薄板状で略Ｌ字型の突起１５１が取り付けられている
　【００２８】
　次に、図３から図７を参照して、インクカートリッジ１４０の装着方法について説明する。インクカートリッジ１４０の通穴１４２と針状部材１２２とを対向させつつ、インクカートリッジ１４０を図中右方向へスライドさせる。突起１５１が係合部１５２に達すると、係合部１５２は、軸１５４を支点にして押し下げられ、インクカートリッジ１４０は、スムーズに進入する（図３）。さらにインクカートリッジ１４０を挿入すると、通穴１４２に針状部材１２２が挿入され、続いて、針状部材１２２の先端が、インクパッケージ１３０に到達すると、突起１５１は、1つめのラッチ部材１５３（ａ）の斜面側から進入し、垂直面に到達して、係合する（図４）。そのままインクカートリッジ１４０をスライドさせると、針状部材１２２はインクパッケージ１３０に刺し込まれ、突起１５１は、残りのラッチ部材１５３と次々に係合する（図５）。最終的には、図示しないがインクカートリッジ装着部１５０に設けられたロック用突起１５７にインクカートリッジ１４０のロック用凹部１５８が係合してロック機構が作用し、インクカートリッジ１４０のプリンタカートリッジ１０３への装着が完了する。
　【００２９】
　
この時点では、突起１５１は、ラッチ部材１５３を通り過ぎ、ラッチ部材１５３との係合が解除されているが、ロック機構により、インクカートリッジ１４０の引き抜きは防止される
　【００３０】
　インクパッケージ１３０へ刺し込まれた針状部材１２２は、その内部へインクを抽出し、取付部材１２５を介してインク供給チューブ１２３へインクを流入させる。インク供給チューブ１２３へ流入したインクは、取付部材１２４を介して印字ヘッド１２１へ供給される。
　【００３１】
　尚、インクカートリッジ交換等のために、装着されたインクカートリッジ１４０を引き抜く場合には、インクカートリッジ１４０を強い力で引いてロック用突起１５７とロック用凹部１５８との係合を外し、前述のロック機構を解除した後に、インクカートリッジ１４０を図中左側に引く。
この時係合部１５２は、板ばね１５５によりインクカートリッジ１４０側に付勢されているため、係合部１５２のラッチ部材１５３はインクカートリッジ１４０側に押し付けられるようになって、突起１５１は係合部１５２のラッチ部材１５３側には進入できず、係合部１５２に設けられた脱出用溝１５６に進入する（図６）。脱出用溝１５６内は、突起１５１が抵抗なく通過できるように形成された案内溝になっており、図７に示すように突起１５１は、脱出用溝１５６を抵抗なく通るため、インクカートリッジ１４０は難なく引き抜かれる
　　　　　　　　　　　　　　　　　　　　　　　　　　』
　
（３）図面の記載
　本願の図面として、以下の図が記載されている。
　
　図１として、
『
 
』
　
　図５として、
『
 
』　
　
　図６として、
『
 
』　
　
５．記載不備についての当審の判断（特許法第３６条第４項の要件）
　
（１）構成要件Ｅについて
　請求人が、構成要件Ｅとする、「前記係合した状態から、さらに、前記インクカートリッジが印字装置本体に挿入されると、前記突起と前記ラッチ部との係合が解除され、前記揺動部材は、前記インクカートリッジが印字装置本体から抜かれる場合に前記突起が前記ラッチ部と係合しない位置まで、前記弾性部材に付勢されて上方に揺動する」との構成について検討する。
　該「前記係合した状態から、さらに、前記インクカートリッジが印字装置本体に挿入されると、前記突起と前記ラッチ部との係合が解除され、前記揺動部材は、前記インクカートリッジが印字装置本体から抜かれる場合に前記突起が前記ラッチ部と係合しない位置まで、前記弾性部材に付勢されて上方に揺動する」との構成は、「この時点では、突起１５１は、ラッチ部材１５３を通り過ぎ、ラッチ部材１５３との係合が解除されている」（段落【００２９】）、「係合部１５２は、板ばね１５５によりインクカートリッジ１４０側に付勢されているため、係合部１５２のラッチ部材１５３はインクカートリッジ１４０側に押し付けられるようになって、突起１５１は係合部１５２のラッチ部材１５３側には進入できず、係合部１５２に設けられた脱出用溝１５６に進入する（図６）。脱出用溝１５６内は、突起１５１が抵抗なく通過できるように形成された案内溝になっており、図７に示すように突起１５１は、脱出用溝１５６を抵抗なく通るため、インクカートリッジ１４０は難なく引き抜かれる」（段落【００３１】）と対応していることは、明細書の記載から明らかであるから、突起１５１、及び、脱出用溝１５６について検討する。
　
（２）突起１５１について
　請求人は、上記のとおり、『突起１５１は、前述の様に、薄板状で略Ｌ字型であり、縦板と横板で構成されるＬ字の前記横板が、係合部１５２の上面と接触しつつ、係合部１５２を押下げながら進入していき、前記横板とラッチ部材１５３が次々に係合する』と主張している。
　しかしながら、本願明細書の発明の詳細な説明には、『インクカートリッジ１４０の右側底面には、薄板状で略Ｌ字型の突起１５１が取り付けられている。』と記載されているのみであって、図面の記載を参酌しても、『薄板状で略Ｌ字型の突起１５１』のＬ字型の形状は明確ではないから、『縦板と横板で構成されるＬ字』との構成を当初明細書及び図面から読み取ることはできない。
　したがって、『図５に表されているロック用突起１５７とロック用凹部１５８と突起１５１と係合部１５２の位置関係から、ロック機構が作用するときには、前記横板は係合部１５２の端部を通り越すこと』は理解することはできず、上記主張は当初明細書及び図面の記載の基づかないものであるから、採用できない。
　
（３）脱出用溝１５６について
　本願明細書の発明の詳細な説明には、『係合部１５２は、板ばね１５５によりインクカートリッジ１４０側に付勢されているため、係合部１５２のラッチ部材１５３はインクカートリッジ１４０側に押し付けられるようになって、突起１５１は係合部１５２のラッチ部材１５３側には進入できず、係合部１５２に設けられた脱出用溝１５６に進入する（図６）。』（段落【００３１】）と記載されている。
　しかしながら、脱出用溝１５６について、図面を参照すると、図６には、脱出用溝１５６に、突起１５１が進入していると解される断面図が示されているものの、図１の係合部１５２には、ラッチ部材１５３が示されているだけで、脱出用溝１５６は示されておらず、脱出用溝１５６と突起１５１との位置関係が不明である。
　したがって、係合部１５２に設けられた脱出用溝１５６の具体的構成が不明であるから、如何にして『突起１５１は係合部１５２のラッチ部材１５３側には進入できず、係合部１５２に設けられた脱出用溝１５６に進入する』のかを理解することができない。
　また、ラッチ部材の係合時にも、板ばね１５５によりインクカートリッジ１４０側に付勢されているのであるから、ロック機構が作用する間は、突起１５１は脱出用溝１５６に進入せず、ロック機構を解除した後に、『板ばね１５５によりインクカートリッジ１４０側に付勢されているため、係合部１５２のラッチ部材１５３はインクカートリッジ１４０側に押し付けられるようになって、突起１５１は係合部１５２のラッチ部材１５３側には進入できず、係合部１５２に設けられた脱出用溝１５６に進入する』のかも理解できない。
　
（４）まとめ
　以上のとおり、突起１５１及び脱出用溝１５６の具体的構成が明確ではなく、明細書に記載の『突起１５１は係合部１５２のラッチ部材１５３側には進入できず、係合部１５２に設けられた脱出用溝１５６に進入する』との構成、及び、請求人の主張する『図５に表されているロック用突起１５７とロック用凹部１５８と突起１５１と係合部１５２の位置関係から、ロック機構が作用するときには、前記横板は係合部１５２の端部を通り越すこと』等のインクカートリッジ装着時及び引き抜き時の動きの説明を理解することができないから、この出願の発明の詳細な説明は、当業者が請求項１〜２に係る発明を実施することができる程度に明確かつ十分に記載されていないというべきである。
　
　したがって、本願明細書の記載は、特許法第３６条第４項に規定する要件を満たしていないとした原審の判断に誤りはない。
　
　
６．むすび
　
　以上のとおりであるから、本願は、発明の詳細な説明の記載が特許法第３６条第４項に規定する要件を満たしていない。
　したがって、本願は拒絶すべきものである。
　
　よって、結論のとおり審決する。